(57)【要約】  【課題】  ハードディスク装置のような大容量記録媒体を使用する情報記録装置において、記録動作を実行したままで長時間放置されることによる種々のトラブルの発生を予防すると共に、ビデオデッキに適用した場合のユーザの使い勝手を向上させる。  【解決手段】  操作制御部１２１がＨＤ２２へのテレビジョン信号の録画動作を開始させる操作を操作部１２２又は遠隔操作部１２６から受け付けた場合に録画時間処理部１１が内蔵するタイマが計時を開始し、操作制御部１２１が何らかの操作を受け付けたことが検出されない状態がタイマが計時を開始した時点から予め設定された所定時間にわたって継続した場合に、ＨＤ２２へのテレビジョン信号の録画動作が自動的に停止する。【選択図】      図１
2005209285.tif 000002
【特許請求の範囲】
【請求項１】
給電手段と、情報記録手段と、記録開始操作を含む複数の操作を受け付ける操作受付部とを備えた情報記録装置において、
前記操作受付部が前記記録開始操作を受け付けた場合に計時を開始する計時手段と、
前記操作受付部が操作を受け付けたか否かを検出する検出手段と、
前記計時手段が計時を開始した時点から予め設定された所定時間が経過するまでの間に前記操作受付部が操作を受け付けたことを前記検出手段が検出しなかった場合に、記録動作を停止させる停止手段と
を備えたことを特徴とする情報記録装置。
【請求項２】
給電手段と、情報記録手段と、記録動作を開始させる記録開始操作を含む複数の操作を受け付ける操作受付部とを備えた情報記録装置において、
外部から入力されたテレビジョン信号に含まれる情報に基づいて番組を特定する番組情報特定手段と、
前記操作受付部が前記記録開始操作を受け付けた時点で前記番組情報特定手段が特定している情報とは異なる情報を前記番組情報特定手段が特定した場合に計時を開始する計時手段と、
前記操作受付部が操作を受け付けたか否かを検出する検出手段と、
前記計時手段が計時を開始した時点から予め設定された所定時間が経過するまでの間に前記操作受付部が操作を受け付けたことを前記検出手段が検出しなかった場合に、記録動作を停止させる停止手段と
を備えたことを特徴とする情報記録装置。
【請求項３】
前記停止手段は、前記情報記録手段による記録動作、又は前記給電手段から前記情報記録手段への給電を停止させるようにしてあることを特徴とする請求項１又は２に記載の情報記録装置。
【請求項４】
前記停止手段が、前記情報記録手段による記録動作、又は前記給電手段から前記情報記録手段への給電の停止のいずれにより記録動作を停止するかを選択する操作を受け付けるようにしてあることを特徴とする請求項１乃至３のいずれかひとつに記載の情報記録装置。
【請求項５】
前記操作受付部が前記停止手段の有効／無効を切り換える操作を受け付けるようにしてあることを特徴とする請求項１乃至４のいずれかひとつに記載の情報記録装置。
【請求項６】
前記操作受付部が前記所定時間を設定する操作を受け付けるようにしてあることを特徴とする請求項１乃至５のいずれかひとつに記載の情報記録装置。
【請求項７】
前記情報記録手段により情報が記録される記録媒体に関連する温度を検出する温度検出手段と、
該温度検出手段による検出結果に基づいて前記所定時間を設定する演算手段と
を更に備えたことを特徴とする請求項１乃至５のいずれかひとつに記載の情報記録装置。
【発明の詳細な説明】
【技術分野】
【０００１】
本発明は情報記録装置、具体的には主として映像情報を記録するための情報記録装置に関し、より具体的には、ハードディスク装置等のような大容量記録媒体を使用して長時間にわたって連続して情報を記録することが可能な装置に関する。
【背景技術】
【０００２】
主としてテレビ放送を録画し、再生するためのいわゆるビデオデッキは従来の磁気テープを記録媒体としたタイプに代えてハードディスク装置を記録媒体としたタイプが普及しつつある。ハードディスク装置を記録媒体として使用したビデオデッキでは、従来の磁気テープを使用する場合に比して格段に長時間の連続録画が可能になり、比較的高画質の録画モードでも１００時間以上、画質を低下させた場合には数百時間の録画が可能なものも珍しくはない。
【０００３】
ところで、ビデオデッキによるテレビ放送の録画は通常は録画開始時刻及び終了時刻が指定された予約録画によるか、またはユーザが録画開始の操作を手動で直接行ない、録画を終了させる操作を手動で直接行なうか、のいずれかにより行なわれる。ここで、後者の場合には録画を終了させる操作をユーザが直接行なえない場合がしばしばあり得る。たとえば録画を行なっていることを失念した場合、録画開始の操作を行なった後に居眠りした場合、録画開始の操作を行なった後に急用で外出した場合、深夜番組が開始された後に録画開始の操作をしてそのまま就寝した場合等である。
【０００４】
上述のような場合、従来の磁気テープを記録媒体としたビデオデッキではせいぜい数時間の録画しか行なえないため、録画状態で放置されたとしても数時間で録画状態が停止されると共に、その際に自動的にビデオデッキの電源が停止されるように構成されている場合が多い。
【０００５】
これに対してハードディスク装置を記録媒体としたビデオデッキが録画状態で放置されると場合によっては百時間以上にもわたって録画状態が継続されることになり、省エネルギーの面での問題が多かった。
【０００６】
このような観点からたとえば特許文献１には、再生または録画状態において一定時間経過後なお装置制御信号が無い場合、具体的にはユーザが何らの操作も行なわずに無操作状態が継続された場合には自動的に表示部の輝度を変化させる、具体的には液晶ディスプレイのバックライトの電源をオフ（停止）させる発明が開示されている。
【０００７】
しかしこの特許文献１に開示されている発明では、従来の磁気テープを記録媒体として使用することを前提としており、従って録画状態のままで放置されたとしても磁気テープの終端まで記録が行なわれる数時間程度で録画状態が必然的に停止することは勿論であるが、これに伴なってビデオデッキそのもの電源もオフされるように構成されている可能性が高い。
【特許文献１】特開２０００−３６１４３号公報
【発明の開示】
【発明が解決しようとする課題】
【０００８】
これに対して、ハードディスク装置を記録媒体として使用するビデオデッキでは、録画状態のままで放置されると場合によっては数十時間、あるいは百時間以上にもわたって録画状態が継続する可能性があり、前述したような問題が生じる。換言すれば、従来の磁気テープを記録媒体として使用するビデオデッキ、または近年普及しつつあるＤＶＤに直接録画するタイプのビデオデッキにおいては、数十時間以上にわたって録画状態が継続するという事態は想定する必要がないため、ビデオデッキが録画状態のままで放置された場合に適宜の時間が経過した後に自動的に録画を停止する、または電源を停止するという発想そのものが従来は必要が無かった。
【０００９】
また近年ではパーソナルコンピュータにいわゆるビデオキャプチャを接続又は内蔵し、これによってパーソナルコンピュータに内蔵されたハードディスクにテレビジョン放送、ラジオ放送等を録画、録音したり、監視カメラの映像を録画したりすることも可能になっている。このような場合においても、あまりにも長時間にわたって連続して録画、録音を継続すると上述のような種々の問題が生じ兼ねない。
【００１０】
なお、上述のようなハードディスク装置を記録媒体としたビデオデッキが録画状態で放置されると場合によっては百時間以上にもわたって録画状態が継続されることになり、省エネルギーの面での問題が生じることは勿論のこと、ハードディスク装置の内部温度の上昇に起因するディスク，ヘッドの変形に伴なう種々のトラブルが発生する可能性が高くなり、またいわゆる熱揺らぎの影響による記録済みデータの消失等のような問題が発生することが予想される。
【００１１】
本発明は以上のような事情に鑑みてなされたものであり、ハードディスク装置のような大容量記録媒体を使用する情報記録装置において、記録動作を実行している状態のままで放置された場合には適宜の時間経過後に自動的に記録動作を停止するか、または記録動作に必要な給電を停止することにより、前述したような問題の解決を図った情報記録装置の提供を目的とする。
【００１２】
また本発明は、上述のような情報記録装置をテレビジョン信号を記録する、即ち録画するための装置に適用することにより、近年のデジタルテレビジョン放送の実用化に伴なって利用が可能になったいわゆる電子番組表を利用して録画動作を停止するまでの時間を設定するようにした情報記録装置の提供を目的とする。
【００１３】
更に本発明は、上述のような情報記録装置において、記録動作を実行している状態のままで放置された場合に自動的に記録動作を停止するまでの時間を外部から設定可能にしてユーザの利便を図った情報記録装置の提供を目的とする。
【００１４】
また更に本発明は、上述のような情報記録装置において、記録媒体に関連する温度、具体的には内部の温度に基づいて、記録動作を実行している状態のままで放置された場合に自動的に記録動作を停止するまでの時間を自動的に設定するようにして記録媒体の発熱による種々のトラブルを未然に防止することを可能とした情報記録装置の提供を目的とする。
【課題を解決するための手段】
【００１５】
本発明に係る情報記録装置は、給電手段と、情報記録手段と、記録開始操作を含む複数の操作を受け付ける操作受付部とを備えた情報記録装置において、前記操作受付部が前記記録開始操作を受け付けた場合に計時を開始する計時手段と、前記操作受付部が操作を受け付けたか否かを検出する検出手段と、前記計時手段が計時を開始した時点から予め設定された所定時間が経過するまでの間に前記操作受付部が操作を受け付けたことを前記検出手段が検出しなかった場合に、記録動作を停止させる停止手段とを備えたことを特徴とする。
【００１６】
このような本発明の情報記録装置では、操作受付部が情報記録手段による情報の記録動作を開始させる操作を受け付けた場合に計時手段が計時を開始し、操作受付部が何らかの操作を受け付けたことが検出されない状態が計時手段が計時を開始した時点から予め設定された所定時間にわたって継続した場合に、記録動作が自動的に停止される。
【００１７】
また本発明に係る情報記録装置は、給電手段と、情報記録手段と、記録動作を開始させる記録開始操作を含む複数の操作を受け付ける操作受付部とを備えた情報記録装置において、外部から入力されたテレビジョン信号に含まれる情報に基づいて番組を特定する番組情報特定手段と、前記操作受付部が前記記録開始操作を受け付けた時点で前記番組情報特定手段が特定している情報とは異なる情報を前記番組情報特定手段が特定した場合に計時を開始する計時手段と、前記操作受付部が操作を受け付けたか否かを検出する検出手段と、前記計時手段が計時を開始した時点から予め設定された所定時間が経過するまでの間に前記操作受付部が操作を受け付けたことを前記検出手段が検出しなかった場合に、記録動作を停止させる停止手段とを備えたことを特徴とする。
【００１８】
このような本発明の情報記録装置では、操作受付部が情報記録手段による記録動作を開始させる操作を受け付けた時点で番組情報特定手段が特定している情報とは異なる情報を番組情報特定手段が特定した場合に計時手段が計時を開始し、操作受付部が何らかの操作を受け付けたことが検出されない状態が計時手段が計時を開始した時点から予め設定された所定時間にわたって継続した場合に、記録動作が自動的に停止される。
【００１９】
また本発明に係る情報記録装置は、上述の各発明において、前記停止手段は、前記情報記録手段による記録動作、又は前記給電手段から前記情報記録手段への給電を停止させるようにしてあることを特徴とする。
【００２０】
このような本発明の情報記録装置では、上述の各発明において、情報記録手段による記録動作を停止させるか、又は給電手段から情報記録手段への給電を停止させるかのいずれかにより、記録動作が自動的に停止する。
【００２１】
また本発明に係る情報記録装置は、上述の各発明において、前記停止手段が、前記情報記録手段による記録動作、又は前記給電手段から前記情報記録手段への給電の停止のいずれにより記録動作を停止するかを選択する操作を受け付けるようにしてあることを特徴とする。
【００２２】
このような本発明の情報記録装置では、上述の各発明において、ユーザによる停止手段の動作の選択、即ち情報記録手段による記録動作を停止させるか、又は給電手段から情報記録手段への給電を停止させるか、のいずれにより記録動作を停止するかを選択する操作が操作受付部により受け付けられる。
【００２３】
また本発明に係る情報記録装置は、上述の各発明において、前記操作受付部が前記停止手段の有効／無効を切り換える操作を受け付けるようにしてあることを特徴とする。
【００２４】
このような本発明の情報記録装置では、ユーザによる停止手段の有効／無効を切り換える操作が操作受付部により受け付けられる。
【００２５】
更に本発明に係る情報記録装置は、上述の各発明において、前記操作受付部が前記所定時間を設定する操作を受け付けるようにしてあることを特徴とする。
【００２６】
このような本発明の情報記録装置では、上述の各発明において、所定時間を設定するためのユーザによる操作が操作受付部により受け付けられる。
【００２７】
また更に本発明に係る情報記録装置は、前述の各発明において、前記情報記録手段により情報が記録される記録媒体に関連する温度を検出する温度検出手段と、該温度検出手段による検出結果に基づいて前記所定時間を設定する演算手段とを更に備えたことを特徴とする。
【００２８】
このような本発明の情報記録装置では、前述の各発明において、所定時間が記録媒体に関連する温度に基づいて設定される。
【発明の効果】
【００２９】
本発明の情報記録装置によれば、情報記録手段による情報の記録動作を開始させる操作が受け付けられて記録動作が開始された場合にも、操作受付部が何らかの操作を受け付けたことが検出されない状態が計時手段が計時を開始した時点から予め設定された所定時間にわたって継続すれば、記録動作が自動的に停止する。従って、記録媒体への無用な長時間の記録動作がいたずらに継続されることがなくなるので、省エネルギーが図られると共に、記録媒体を含む装置の寿命を伸ばすことが可能になる。
【００３０】
また本発明の録画装置によれば、情報記録手段による記録動作を開始させる操作が受け付けられて記録動作が開始された時点で番組情報特定手段が特定している情報とは異なる情報を番組情報特定手段が特定した場合に、操作受付部が何らかの操作を受け付けたことが検出されない状態が計時手段が計時を開始した時点から予め設定された所定時間にわたって継続すれば、記録媒体への記録動作が自動的に停止する。従って、記録媒体への無用な長時間の記録動作がいたずらに継続されることがなくなるので、省エネルギーが図られると共に、記録媒体を含む装置の寿命を伸ばすことが可能になると共に、たとえば急用で外出するような場合、深夜番組を録画しておいて就寝したいような場合にも、希望する番組を確実に録画することが可能になる。
【００３１】
また本発明の情報記録装置によれば、上述の各発明において、情報記録手段による記録動作を停止させるか、又は給電手段から情報記録手段への給電を停止させるかのいずれかにより、記録動作を自動的に停止させることが可能になるので、装置の使用状況等に応じていずれかの設定にすることが可能になる。
【００３２】
また本発明の情報記録装置によれば、上述の各発明において、情報記録手段による記録動作を停止させるか、又は給電手段から情報記録手段への給電を停止させるかをユーザが選択することが可能になるので、ユーザは自身の都合にあわせていずれかを選択することが可能になる。
【００３３】
また本発明の情報記録装置によれば、上述の各発明において、ユーザが記録停止手段を無効に設定することにより、ユーザが希望する場合にはより長時間にわたる記録を行なうことが可能になる。
【００３４】
更に本発明の情報記録装置によれば、上述の各発明において、ユーザが自身で操作部を操作して所定時間を設定できるので、ユーザのライフスタイルに合わせた、たとえば深夜番組を頻繁に録画する場合には所定時間を長い目に設定する等のように、設定をすることが可能になる。
【００３５】
また更に本発明の情報記録装置によれば、前述の両各明において、記録媒体に関連する温度に基づいて所定時間が設定されるので、記録媒体の発熱による種々のトラブルを未然に防止することが可能になる。
【発明を実施するための最良の形態】
【００３６】
以下、本発明をその実施のための最良の形態を示す図面を参照して説明する。なお、以下においては本発明に係る情報記録装置を主としてテレビ放送を録画・再生するために記録媒体として大容量のハードディスク装置を使用する録画装置（ビデオデッキ）に適用した場合について説明する。なお、テレビ放送にかぎらず、たとえば監視カメラの映像を録画するような場合においても本発明は適用可能である。
【００３７】
但し、本発明の情報記録装置は、磁気テープを記録媒体として使用するビデオデッキであっても、低画質であれば十時間以上の連続録画も可能であるので、記録媒体はハードディスク装置に限定されるものではない。また、本発明の情報記録装置は、たとえばパーソナルコンピュータを利用してそれに内蔵されるハードディスクを記録媒体として、テレビジョン放送、ラジオ放送を録画、録音するような場合にも適用可能である。
【００３８】
図１は本発明に係る情報記録装置である録画装置１０を記録媒体としてハードディスク（ＨＤ）装置を使用したビデオデッキに適用した場合の回路構成例を示す機能ブロック図である。図中、１１は録画時間処理部であり、ＣＰＵ又はＭＰＵで構成されており、内蔵するＲＯＭ，フラッシュメモリ等の不揮発性の記憶媒体に予めインストールされた制御プログラムに従って後述するような処理を実行する。また、録画時間処理部１１は処理実行中の種々のデータを記憶するためのＲＡＭ等の揮発性の、またはフラッシュメモリ等の不揮発性の一時記憶装置も備えている。この録画時間処理部１１へは、メニュー画面操作部１２，タイマ制御部１３，温度情報解析部１４，番組情報解析部１５等からの信号が入力される。
【００３９】
メニュー画面操作部１２へは操作制御部１２１からの操作制御信号が与えられる。操作制御部１２１には、ユーザによる手動操作を直接受け付けるための本発明の録画装置１０に内蔵されれている操作部１２２と、ユーザによるリモートコントロール部１２０（以下、リモコン１２０という）の操作を受け付けるための受信部１２３とに接続されている。リモコン１２０は録画装置１０とは直接的には接続されておらず、遠隔操作部１２４と送信部１２５とで構成されている。リモコン１２０は、ユーザによる遠隔操作部１２４の操作に応じたたとえば赤外線信号等の無線信号を送信部１２５から送信する。この送信部１２５から送信される無線信号を前述の受信部１２３が受信することにより、操作部１２２がユーザにより直接操作された場合と等価な信号が操作制御部１２１に与えられる。
【００４０】
メニュー画面操作部１２は操作制御部１２１から出力される操作制御信号に基づいた文字信号を発生させるために文字信号発生部１８へ制御信号を送ることにより、後述するディスプレイ１５５上にメニュー画面を表示させると共に、操作制御部１２１が操作部１２２又は受信部１２３から受け付けた操作に対応した表示をメニュー画面上に行なわせる。またメニュー画面操作部１２は録画時間処理部１１へも制御信号を与える。このメニュー画面操作部１２から録画時間処理部１１へ与えられる制御信号は、後述する録画・ 再生制御部１６へ与えられる予約録画のための制御信号ではなく、ユーザの手動操作により直接録画を行なう手動録画を開始するための制御信号を操作制御部１２１が操作部１２２又は受信部１２３から受け付けたような場合に、前述した如き制御プログラムを起動させるトリガとなる。
【００４１】
また操作制御部１２１に受け付けられた信号は、上述したメニュー画面操作部１２以外にも、後述するタイマ制御部１３，録画・再生制御部１６，電源制御部１７，ＴＶチューナ（テレビチューナ）１５２等にも与えられている。
【００４２】
タイマ制御部１３は、操作制御部１２１から手動録画の開始の指示が与えられた場合に、録画時間処理部１１に内蔵されているタイマに計時を開始させる。
【００４３】
録画・ 再生制御部１６は、操作制御部１２１から手動録画・再生の開始の指示が与えられた場合には録画・再生ユニット２１を制御して録画・再生を直ちに開始させ、逆に操作制御部１２１から手動録画・再生の停止の指示が与えられた場合には録画・再生ユニット２１を制御して録画・再生を直ちに停止させる。また、録画・ 再生制御部１６は、操作制御部１２１からいわゆる予約録画の指示が与えられた場合には、録画開始予約時刻，録画終了予約時刻，予約チャンネル等を一旦記憶する。そして、録画・ 再生制御部１６は絶対時刻を刻時するタイマを内蔵しており、このタイマの刻時結果に従って録画・再生ユニット２１及びＴＶチューナ１５２を制御することにより、予約録画を実行する。なお、録画・再生ユニット２１には、本実施の形態では記録媒体としてハードディスク装置２２（以下、ＨＤ２２という）が接続されているが、従来一般的な磁気テープ装置であってもよいし、ＤＶＤに直接記録するＤＶＤドライブであってもよい。
【００４４】
但し、詳細は後述するが、録画・ 再生制御部１６が操作部１２２又はリモコン１２０から手動録画を開始する指示を与えられて録画動作を実行している場合には、録画時間処理部１１から所定の信号が与えられることにより録画・ 再生制御部１６は録画・再生ユニット２１を制御して録画動作を強制的に停止させることができる。
【００４５】
電源制御部１７には、操作制御部１２１が操作部１２２又は受信部１２３から電源のオン／オフを指示する操作を受け付けた場合に、それに対応する制御信号が与えられる。このような制御信号が操作制御部１２１から電源制御部１７へ与えられることにより、操作部１２２又はリモコン１２０をユーザが操作することにより、電源制御部１７を直接制御して電源のオン／オフを行なうことが可能である。
【００４６】
但し、詳細は後述するが、録画・ 再生制御部１６が操作部１２２又はリモコン１２０から手動録画を開始する指示を与えられて録画動作を実行している場合には、録画時間処理部１１から所定の信号が与えられることにより電源制御部１７は電源ユニット２３を制御して電源を強制的に停止させることができる。
【００４７】
ＴＶチューナ１５２は後述するように、受信したテレビジョン放送の電波から特定の、具体的にはユーザが望むチャネルを操作制御部１２１から与えられる制御信号により選局する。具体的には、ユーザが望むチャネルを操作部１２２の操作、またはリモコン１２０の操作により指定した場合に、そのチャンネルを指示する信号を操作制御部１２１が受け付け、操作制御部１２１からの制御によりＴＶチューナ１５２がチャンネルを選局する。また、ＴＶチューナ１５２は、録画・ 再生制御部１６の制御により予約録画が実行される際には、予約されているチャンネルを録画・ 再生制御部１６から与えられる制御信号に従って選局する。
【００４８】
温度情報解析部１４には温度センサ１４１からの検出信号が与えられる。温度センサ１４１は録画・再生ユニット２１に接続されたＨＤ２２の内部温度を検出しており、温度情報解析部１４は温度センサ１４１の検出信号を解析する。具体的には、温度情報解析部１４は、ＨＤ２２内部の温度がどの程度であるかを温度センサ１４１の検出信号に基づいて解析しており、その解析結果を録画時間処理部１１に与える。
【００４９】
番組情報解析部１５は、テレビアンテナ（ＴＶアンテナ）１５３で受信され、ＴＶチューナ１５２で選局された放送局のテレビ電波（テレビジョン信号）を映像信号処理部１５１で処理した後の信号に基づいて、番組が終了したか、新たな番組が開始されたか等を解析し、その結果を録画時間処理部１１に与える。なお、番組情報解析部１５による上述のような解析はデジタルテレビジョン放送等に伴なって送信される電子番組表の機能により容易に実現可能である。映像信号処理部１５１により処理された映像信号（テレビジョン信号）は映像信号出力処理部１５４にも与えられて前述の文字信号発生部１８から出力されているメニュー画面（文字信号を含む）と合成された上でディスプレイ１５５に表示される。なお、ディスプレイ１５５は、本発明の録画装置１０に付属するモニタディスプレイであってもよく、また録画装置１０に接続されたテレビジョンセットのモニタディスプレイであってもよい。
【００５０】
録画時間処理部１１は、上述した如き各構成要素からの信号を入力して後述するような処理を実行し、文字信号発生部１８に対してはユーザに報知すべき種々の情報，警報等をディスプレイ１５５に表示させ、録画・ 再生制御部１６に対しては後述するような処理手順に従って強制的に録画・再生ユニット２１による録画動作を停止させる制御を行ない、電源制御部１７に対しては後述するような処理手順に従って強制的に電源ユニット２３による給電を停止させる制御を行なう。
【００５１】
なお、本発明の録画装置１０は電源ユニット２３による給電が停止された場合にも、予約録画等を実行するために必要な最低限の電源は図示しない給電手段により給電されている。
【００５２】
次に、上述のような構成の本発明の録画装置１０に特徴的な自動停止機能、具体的には手動録画動作を自動的に停止させ、または手動録画動作中に電源を自動的に停止させる機能について、主として録画時間処理部１１による処理手順を示すフローチャートを参照して説明する。なお、本発明の録画装置１０においては種々の態様での自動停止処理が可能であるので、まず図２乃至図４のフローチャートを参照して、ユーザが設定した自動停止時間に従って自動停止処理を行なう場合の第１の実施の形態について説明する。
【００５３】
まず、録画装置１０の電源が投入されている状態では、操作制御部１２１が操作部１２２又は受信部１２３を介して何らかの操作を受け付けるまでは待機状態となっている（ステップＳ１１でＮＯ）。操作制御部１２１が操作部１２２又は受信部１２３を介して何らかの操作を受け付け（ステップＳ１１でＹＥＳ）、それが「自動停止機能」の設定操作であれば（ステップＳ１２でＹＥＳ）、録画時間処理部１１は図３にサブルーチンとして示す「自動停止機能設定処理」を実行する（ステップＳ１３）。
【００５４】
このステップＳ１３のサブルーチンである「自動停止機能設定処理」について、図３のフローチャートを参照して説明する。なお、図３のフローチャート及び以下の説明から明らかなように、本発明の録画装置１０においては「自動録画停止機能」又は「自動電源停止機能」のいずれか一方のみが有効であるか、双方が無効であるかの状態が可能であり、「自動録画停止機能」及び「自動電源停止機能」の双方が共に有効である状態はあり得ない。これは、「自動電源停止機能」により電源が停止された場合には自動的に録画動作も停止するので、一方の機能が有効である場合には他方の機能は自動的に無効に設定されるように構成されている。
【００５５】
図３にフローチャートを示す「自動停止機能設定処理」においては、録画時間処理部１１は「自動録画停止機能」が有効であるか否か、即ち既に「自動録画停止機能」が設定されているか否かを最初に判断する（ステップＳ１３１）。この判断は、図示しないフラグのセット／リセット等の手法により容易に可能である。ここで、「自動録画停止機能」が既に有効であった場合（ステップＳ１３１でＹＥＳ）、録画時間処理部１１は「自動録画停止機能」を解除するか否かをユーザに選択させる表示を文字信号発生部１８に発生させてディスプレイ１５５に表示されているメニュー画面上に表示させる。
【００５６】
このディスプレイ１５５のメニュー画面上での表示に応じて、ユーザが操作部１２２又はリモコン１２０の操作により「自動録画停止機能」を解除しない選択を行なった場合は（ステップＳ１３２でＮＯ）、録画時間処理部１１は後述するステップＳ１３６の「自動停止時間設定処理」へ処理を進める。一方、ユーザが「自動録画停止機能」を解除する選択を行なった場合は（ステップＳ１３２でＹＥＳ）、録画時間処理部１１はそれまで有効であった「自動録画停止機能」を無効にする（ステップＳ１３３）と共に、「自動電源停止機能」を有効にするか否かをユーザに選択させるための表示を文字信号発生部１８に発生させてディスプレイ１５５に表示されているメニュー画面上に表示させる。
【００５７】
このディスプレイ１５５のメニュー画面上での表示に応じて、ユーザが操作部１２２又はリモコン１２０の操作により「自動電源停止機能」を有効にしない選択を行なった場合は（ステップＳ１３４でＮＯ）、録画時間処理部１１は後述するステップＳ１３６の「自動停止時間設定処理」へ処理を進める。一方、ユーザが「自動電源停止機能」を有効にする選択を行なった場合は（ステップＳ１３４でＹＥＳ）、録画時間処理部１１はそれまで無効であった「自動電源停止機能」を有効にし（ステップＳ１３５）、後述するステップＳ１３６の「自動停止時間設定処理」へ処理を進める。
【００５８】
以上の処理により、「自動録画停止機能」が有効である場合には、ユーザは「自動録画停止機能」を無効にすると共に「自動電源停止機能」を有効にしないことにより双方の機能を無効にするか、または「自動録画停止機能」を無効にして「自動電源停止機能」を有効にするかのいずれかの選択が可能である。
【００５９】
先のステップＳ１３１において「自動録画停止機能」が無効であった場合（ステップＳ１３１でＮＯ）、録画時間処理部１１は「自動電源停止機能」が有効であるか否か、即ち既に「自動電源停止機能」が設定されているか否かを判断する（ステップＳ１４１）。この判断は、図示しないフラグのセット／リセット等の手法により容易に可能である。ここで、「自動電源停止機能」が既に有効であった場合（ステップＳ１４１でＹＥＳ）、録画時間処理部１１は「自動電源停止機能」を解除するか否かをユーザに選択させる表示を文字信号発生部１８に発生させてディスプレイ１５５に表示されているメニュー画面上に表示させる。
【００６０】
このディスプレイ１５５のメニュー画面上での表示に応じて、ユーザが操作部１２２又はリモコン１２０の操作により「自動電源停止機能」を解除しない選択を行なった場合は（ステップＳ１４２でＮＯ）、録画時間処理部１１は後述するステップＳ１３６の「自動停止時間設定処理」へ処理を進める。一方、ユーザが「自動電源停止機能」を解除する選択を行なった場合は（ステップＳ１４２でＹＥＳ）、録画時間処理部１１はそれまで有効であった「自動電源停止機能」を無効にする（ステップＳ１４３）と共に、「自動録画停止機能」を有効にするか否かをユーザに選択させるための表示を文字信号発生部１８に発生させてディスプレイ１５５に表示されているメニュー画面上に表示させる。
【００６１】
このディスプレイ１５５のメニュー画面上での表示に応じて、ユーザが操作部１２２又はリモコン１２０の操作により「自動録画停止機能」を有効にしない選択を行なった場合は（ステップＳ１４４でＮＯ）、録画時間処理部１１は後述するステップＳ１３６の「自動停止時間設定処理」へ処理を進める。一方、ユーザが「自動録画停止機能」を有効にする選択を行なった場合は（ステップＳ１４４でＹＥＳ）、録画時間処理部１１はそれまで無効であった「自動録画停止機能」を有効にし（ステップＳ１４５）、後述するステップＳ１３６の「自動停止時間設定処理」へ処理を進める。
【００６２】
以上の処理により、「自動録画停止機能」が無効でありしかも「自動電源停止機能」が有効である場合には、ユーザは「自動電源停止機能」を無効にすると共に「自動録画停止機能」を有効にしないことにより双方の機能を無効にするか、または「自動電源停止機能」を無効にして「自動録画停止機能」を有効にするかのいずれかの選択が可能である。
【００６３】
更に、先のステップＳ１４１において「自動電源停止機能」が無効であった場合（ステップＳ１４１でＮＯ）、即ち「自動録画停止機能」及び「自動電源停止機能」の双方が無効であった場合は、録画時間処理部１１は「自動録画停止機能」又は「自動電源停止機能」を有効にするか否かをユーザに選択させる表示を文字信号発生部１８に発生させてディスプレイ１５５に表示されているメニュー画面上に表示させる。
【００６４】
このディスプレイ１５５のメニュー画面上での表示に応じて、ユーザが操作部１２２又はリモコン１２０の操作により「自動録画停止機能」を有効にする選択を行なった場合は（ステップＳ１４６でＹＥＳ）、録画時間処理部１１はそれまで無効であった「自動録画停止機能」を有効にし（ステップＳ１４５）、後述するステップＳ１３６の「自動停止時間設定処理」へ処理を進める。一方、ユーザが「自動電源停止機能」を有効にする選択を行なった場合は（ステップＳ１４６でＮＯ，Ｓ１３４でＹＥＳ）、録画時間処理部１１はそれまで無効であった「自動電源停止機能」を有効にし（ステップＳ１３５）、後述するステップＳ１３６の「自動停止時間設定処理」へ処理を進める。
【００６５】
なお、ユーザがいずれの機能をも有効にする選択を行なわなかった場合は（ステップＳ１４６でＮＯ，Ｓ１３４でＮＯ）、録画時間処理部１１は後述するステップＳ１３６の「自動停止時間設定処理」へ処理を進める。
【００６６】
以上の処理により、「自動録画停止機能」及び「自動電源停止機能」の双方が無効であった場合には、ユーザはいずれかの機能を有効にするか。またはいずれの機能をも無効のままにしておくかの選択が可能である。
【００６７】
図４は図３のステップＳ１３６の「自動停止時間設定処理」の処理手順を示すサブルーチンのフローチャートである。このサブルーチンにおいては、「自動停止機能」が設定されている場合に、手動録画を開始した時点から自動停止を実行する時点までの時間、即ち「自動停止時間」をユーザが設定することが可能である。なお、この図４に示す「自動停止時間設定処理」が終了（リターン）した後は図２のステップＳ１３が終了し、ステップＳ１１へ処理が戻される。
【００６８】
まず、録画時間処理部１１は「自動停止機能」、即ち「自動録画停止機能」又は「自動電源停止機能」のいずれかが有効であるか否かを判断する（ステップＳ１５１）。「自動停止機能」が有効でない場合、即ち「自動録画停止機能」及び「自動電源停止機能」のいずれかも無効である場合には（ステップＳ１５１でＮＯ）、録画時間処理部１１は処理をリターンさせる。
【００６９】
「自動停止機能」が有効である場合、即ち「自動録画停止機能」又は「自動電源停止機能」のいずれかが有効である場合は（ステップＳ１５１でＹＥＳ）、録画時間処理部１１は既に設定されている「自動停止時間」の数値を文字信号発生部１８に発生させてディスプレイ１５５に表示されているメニュー画面上に表示させる（ステップＳ１５２）。但し、この時点までにユーザが「自動停止時間」の設定を行なっていない場合にはデフォルトの値、たとえば「６時間」が表示される。
【００７０】
このディスプレイ１５５のメニュー画面上での表示に応じて、ユーザが操作部１２２又はリモコン１２０の操作により、所望の設定時間を入力する操作を行なうと（ステップＳ１５３でＹＥＳ）、録画時間処理部１１は操作制御部１２１が受け付けた時間を「自動停止時間」として設定し（ステップＳ１５４）、図示しないＲＡＭ等の一時記憶装置に記憶させた上で処理をリターンさせる。
【００７１】
なお、前述したように、本発明の録画装置１０は電源ユニット２３による給電が停止された場合にも、予約録画等を実行するために必要な最低限の電源は図示しない給電手段により給電されているので、上述した如く「自動停止時間」をＲＡＭに記憶させた場合にもその記憶内容が失われることはない。但し、本発明の録画装置１０が外部の給電線、具体的には商用電源を給電するコンセントから遮断された場合には揮発性のＲＡＭの記憶内容は失われるので、「自動停止時間」を記憶させるための一時記憶装置はフラッシュメモリ等の不揮発性の書き換え可能な記憶装置を利用することが望ましい。
【００７２】
以上のようにしてユーザが設定した「自動停止時間」を、録画時間処理部１１が手動録画が開始された時点からの経過時間と後述するようにして比較することにより、手動録画の操作により開始されている録画動作を「自動録画停止機能」により停止させる指示を録画・ 再生制御部１６に与え、又は電源を「自動電源停止機能」により停止させる指示を電源制御部１７に与える。
【００７３】
以上のようにして「自動停止時間」が設定されるので、図２のフローチャートに戻って以下の処理手順を説明する。
【００７４】
操作制御部１２１が受け付けた操作が「手動録画の開始」、即ちユーザの直接の操作により手動録画を開始させる操作であった場合は（ステップＳ１４でＹＥＳ）、操作制御部１２１から録画・ 再生制御部１６に対して手動録画の開始の指示が与えられる（ステップＳ１６）。これにより、映像信号処理部１５１から映像信号出力処理部１５４へ出力されている映像信号を録画・再生ユニット２１がＨＤ２２に録画する処理を開始する。
【００７５】
なお、操作制御部１２１が他の操作を受け付けた場合（ステップＳ１４でＮＯ）、受け付けた操作に対応する処理が実行される（ステップＳ１５）。たとえば、予約録画の操作が受け付けられた場合には、設定された録画開始予約時刻及び録画終了予約時刻と予約チャネルとを録画・ 再生制御部１６が記憶し、録画開始予約時刻に至れば録画・ 再生制御部１６がＴＶチューナ１５２を制御して予約されているチャンネルを選択させると共に録画・再生ユニット２１を制御して映像信号処理部１５１から映像信号出力処理部１５４へ出力されている映像信号をＨＤ２２に録画する処理を開始し、設定されている録画終了予約時刻に至ると録画・再生ユニット２１を制御して録画を終了させる。但し、このような予約録画の際の動作は公知である。
【００７６】
上述のステップＳ１６において録画・ 再生制御部１６に対して手動録画の開始が指示されるのと同時に、操作制御部１２１から録画時間処理部１１へ所定の信号が与えられる。これをトリガとして録画時間処理部１１は「自動停止機能」の処理を開始する。また同時に、操作制御部１２１からタイマ制御部１３へも所定の信号が与えられ、これに応じてタイマ制御部１３は録画時間処理部１１の内蔵タイマに計時を開始させる（ステップＳ１７）。
【００７７】
以上のようにして、ユーザが操作部１２２又はリモコン１２０を操作して手動録画の開始を指示することにより、その時点でＴＶチューナ１５２により選択されているチャンネルの映像信号がＨＤ２２に録画され始めるが、その後に操作制御部１２１が操作部１２２又は受信部１２３から何らかの操作を受け付けると（ステップＳ１８でＹＥＳ）、操作制御部１２１からタイマ制御部１３へ所定の信号が与えられて録画時間処理部１１の内蔵タイマによる計時が停止され（ステップＳ１９）、その後に前述のステップＳ１２へ処理が戻される。この場合、たとえば録画停止の操作が受け付けられれば、操作制御部１２１から録画・再生ユニット２１へ所定の信号が与えられ、これに応じて録画・ 再生制御部１６が録画・再生ユニット２１を制御して映像信号の録画を停止させる。
【００７８】
ステップＳ１６において録画・再生ユニット２１による録画動作が開始され、ステップＳ１７において録画時間処理部１１の内蔵タイマによる計時が開始された後、操作制御部１２１が何らの操作も受け付けない場合には（ステップＳ１８でＮＯ）、録画・再生ユニット２１による映像信号の録画が継続されると共に録画時間処理部１１の内蔵タイマによる計時が継続される（ステップＳ２０，Ｓ２１）。このようにして内蔵タイマによる計時が継続されると共に、録画時間処理部１１は「自動停止機能」 が有効であるか否かを判断し（ステップＳ２２）、「自動停止機能」 が無効である場合には（ステップＳ２２でＮＯ）、ステップＳ１８へ処理を戻す。従って、「自動停止機能」が無効である（有効に設定されていない）場合は、ステップＳ２２からステップＳ１８へ処理が戻されて、ステップＳ１８→Ｓ２０→Ｓ２１→Ｓ２２→Ｓ１８というループ処理がステップＳ１８において操作制御部１２１が操作を受け付けるまで反復されるので、最大限ＨＤ２２の容量が尽きるまで録画動作が継続される。
【００７９】
しかし、「自動停止機能」が有効である（有効に設定されている）場合は（ステップＳ２２でＹＥＳ）、先のステップＳ１３の「自動停止機能設定処理」のサブルーチンにおいて設定されている「自動停止時間」が経過するまでは（ステップＳ２３でＮＯ）、録画・再生ユニット２１による録画動作が継続されるが、設定されている「自動停止時間」が経過すると（ステップＳ２３でＹＥＳ）、録画時間処理部１１はまず「自動録画停止機能」が有効であるか否かを判断する（ステップＳ２４）。この「自動録画停止機能」が有効であると判断された場合には（ステップＳ２４でＹＥＳ）、録画時間処理部１１は録画・ 再生制御部１６へ所定の信号を与えて録画動作の停止を指示する（ステップＳ２５）。これに応じて録画・ 再生制御部１６が録画・再生ユニット２１を制御することにより録画動作を停止させる。
【００８０】
以上の処理により、「自動録画停止機能」が設定されている状態において、手動録画が開始された時点から操作制御部１２１に対して何らの操作も行なわれないままに予めユーザが設定した「自動停止時間」が経過した場合には、本発明の録画装置１０は自動的に録画動作を停止する。
【００８１】
一方、ステップＳ２４において「自動録画停止機能」が有効ではないと判断された場合には（ステップＳ２４でＮＯ）、「自動電源停止機能」が有効であることを意味しているので、録画時間処理部１１は電源制御部１７へ所定の信号を与えて電源の停止を指示する（ステップＳ２６）。これに応じて電源制御部１７が電源ユニット２３を制御することにより給電を停止させる。
【００８２】
以上の処理により、「自動電源停止機能」が設定されている状態において、手動録画が開始された時点から操作制御部１２１に対して何らの操作も行なわれないままに予めユーザが設定した「自動停止時間」が経過した場合には、本発明の録画装置１０は自動的に電源を停止する。
【００８３】
上述の第１の実施の形態においては、手動録画が開始された時点からユーザが予め設定した「自動停止時間」の間に操作制御部１２１に対して何らの操作も行なわれなかった場合に録画動作を停止するか、又は電源を停止するかのいずれかの処理を行なっている。しかし、「自動停止時間」をユーザの設定に委ねるのではなく、たとえば記録媒体であるＨＤ２２の内部温度に応じて設定することも可能である。この場合には、ＨＤ２２の内部温度の上昇に起因するディスク，ヘッドの変形に伴なう種々のトラブルを未然に防止することが可能になると共に、いわゆる熱揺らぎの影響による録画済みデータの消失等のような問題をも未然に防止することが可能になる。
【００８４】
以下、第２の実施の形態について具体的に説明する。但し、図５に示す本発明の第２の実施の形態の処理手順を示すフローチャートは、ステップＳ１１乃至Ｓ２２までの処理手順は前述の第１の実施の形態の図２のフローチャートのステップＳ１１乃至Ｓ２２までの処理手順と同一であるので、それらの説明は省略する。以下、ステップＳ２２の処理手順から説明する。
【００８５】
第１の実施の形態の場合と同様に、ステップＳ２２において録画時間処理部１１が「自動停止機能」 が有効であるか否かを判断する。そして、「自動停止機能」 が無効である場合には（ステップＳ２２でＮＯ）、ステップＳ１８へ処理を戻すことも前述の第１の実施の形態と同一である。
【００８６】
しかしこの第２の実施の形態では、「自動停止機能」が有効である（有効に設定されている）場合は（ステップＳ２２でＹＥＳ）、第１の実施の形態とは異なり、温度情報解析部１４が温度センサ１４１の検出結果に基づいて解析したＨＤ２２内部の温度に基づいて録画時間処理部１１が「自動停止時間」を設定する（ステップＳ３３）。そして、次に録画時間処理部１１は内蔵タイマが計時しているステップＳ１６において手動録画を開始した時点からの経過時間とステップＳ３３において設定された「自動停止時間」とを比較する（ステップＳ３４）。この結果、操作制御部１２１に対して何らの操作も行なわれないままに、録画動作開始時点からの経過時間がステップＳ３３において設定された「自動停止時間」に達すると（ステップＳ３４でＹＥＳ）、録画時間処理部１１はまず「自動録画停止機能」が有効であるか否かを判断する（ステップＳ２４）。この「自動録画停止機能」が有効であることが判明した場合には（ステップＳ２４でＹＥＳ）、録画時間処理部１１は録画・ 再生制御部１６に録画時間処理部１１は録画・ 再生制御部１６へ所定の信号を与えて録画動作の停止を指示する（ステップＳ２５）。これに応じて録画・ 再生制御部１６が録画・再生ユニット２１を制御することにより録画動作を停止させる。
【００８７】
以上の処理により、「自動録画停止機能」が設定されている状態において、手動録画が開始された時点から操作制御部１２１に対して何らの操作も行なわれないままに、録画時間処理部１１がＨＤ２２の内部温度に基づいて設定した「自動停止時間」が経過した場合には、本発明の録画装置１０は自動的に録画動作を停止する。
【００８８】
一方、ステップＳ２４において「自動録画停止機能」が有効ではないと判断された場合には（ステップＳ２４でＮＯ）、「自動電源停止機能」が有効であることを意味しているので、録画時間処理部１１は電源制御部１７へ所定の信号を与えて電源の停止を指示する（ステップＳ２６）。これに応じて電源制御部１７が電源ユニット２３を制御することにより給電を停止させる。
【００８９】
以上の処理により、「自動電源停止機能」が設定されている状態において、手動録画が開始された時点から操作制御部１２１に対して何らの操作も行なわれないままに、録画時間処理部１１がＨＤ２２の内部温度に基づいて設定した「自動停止時間」が経過した場合には、本発明の録画装置１０は自動的に電源を停止する。
【００９０】
なお、この第２の実施の形態におけるステップＳ１３での「自動停止機能設定処理」は、図３に示した第１の実施の形態におけるフローチャートの内のステップＳ１３６の「自動停止時間設定処理」（図４に詳細なサブルーチンのフローチャートを示してある）を行なわない以外は同様の処理手順でよいので、説明を省略する。
【００９１】
上述の第２の実施の形態においては、ＨＤ２２の内部温度に基づいて「自動停止時間」を設定し、手動録画が開始された時点から操作制御部１２１に対して何らの操作も行なわれないままに「自動停止時間」が経過した場合に録画動作を停止するか、又は電源を停止するかのいずれかの処理を行なっている。しかし、近年のデジタルテレビジョン放送の実用化に伴なって利用可能になった電子番組表の機能を利用して「自動停止時間」を設定することも可能である。この場合には、ユーザの操作により手動録画が開始された時点で放送されている番組が終了した時点で自動録画停止又は自動電源停止を行なうことも勿論可能である。しかし、たとえばユーザが録画したい番組が開始される以前にユーザが急用で外出しなければならない等の事情がある場合には、ユーザが本来録画したい番組の１つ、又は二つ前の番組の放送中に手動録画を開始せざるを得ない場合もあり得る。このような場合においては、手動録画が開始された時点で放送されている番組が終了した時点から所定時間経過後に自動的に録画を停止するか、または電源を停止するかの処理を行なえば、ユーザが本来録画したい番組を録画することが可能になると共に、いたずらに長時間にわたって録画動作を継続することによる種々の弊害も前述の第１及び第２の実施の形態の場合と同様に防止することが可能になる。
【００９２】
以下、上述のような第３の実施の形態について具体的に説明する。但し、図６に示す第３の実施の形態の処理手順を示すフローチャートは、ステップＳ１１乃至Ｓ２０の処理手順は前述の第１，第２の実施の形態の図２，図５のフローチャートのステップＳ１１乃至Ｓ２０の処理手順とステップＳ１７を除いて同一であるので、それらの説明は省略する。なお、この第３の実施の形態においては、前述の第１，第２の実施の形態の図２，図５のフローチャートのステップＳ１７に代えて、ステップＳ４７の処理が行なわれる。以下、ステップＳ１６の処理手順から説明する。
【００９３】
ステップＳ１６において、操作制御部１２１から録画・ 再生制御部１６に対して手動録画の開始の指示が与えられることにより、映像信号処理部１５１から映像信号出力処理部１５４へ出力されている映像信号を録画・再生ユニット２１がＨＤ２２に録画する処理が開始されることまでは前述の第１，第２の実施の形態と同様である。
【００９４】
この第３の実施の形態では、第１，第２の実施の形態の場合と同様にステップＳ１６において録画・ 再生制御部１６に対して手動録画の開始が指示されるが、この時点で第１，第２の実施の形態において行なわれた録画時間処理部１１の内蔵タイマによる計時は開始されず、その代わりに録画時間処理部１１はその時点でＴＶチューナ１５２が選択しているチャンネルの番組を特定する情報を番組情報解析部１５から受信して記憶する（ステップＳ４７）。
【００９５】
このステップＳ４７の処理を行なった後、録画時間処理部１１は前述の第１の実施例の場合と同様に、ステップＳ１８，Ｓ２０の処理を行なう。なお、ステップＳ１９での録画時間処理部１１の内蔵タイマの計時停止の処理は、この第３の実施の形態においては最初は録画時間処理部１１の内蔵タイマは計時を開始していないので無意味であるが、録画時間処理部１１の内蔵タイマが計時を開始していない状態でステップＳ１９の処理を行なっても不都合は生じない。
【００９６】
そして、録画時間処理部１１はステップＳ２０の処理の次に、番組情報解析部１５から与えられている情報に基づいて、先のステップＳ４７で記憶した番組が終了しているか否かを判断する（ステップＳ４１）。ステップＳ４７で記憶した番組、即ち手動録画を開始した時点の番組が終了していない場合は（ステップＳ４１でＮＯ）、録画時間処理部１１は前述の第１の実施の形態と同様のステップＳ１８へ処理を戻す。しかし、ステップＳ４７で記憶した番組、即ち手動録画を開始した時点の番組が終了している場合は（ステップＳ４１でＹＥＳ）、録画時間処理部１１はステップＳ２２において「自動停止機能」 が有効であるか否かを判断し、「自動停止機能」 が無効である場合には（ステップＳ２２でＮＯ）、ステップＳ１８へ処理を戻すことも前述の第１の実施の形態と同一である。
【００９７】
しかしこの第３の実施の形態では、この時点で「自動停止機能」が有効である（有効に設定されている）場合に（ステップＳ２２でＹＥＳ）、録画時間処理部１１が内蔵タイマによる計時を開始する（ステップＳ４３）。そして、次に録画時間処理部１１は内蔵タイマの計時結果と所定時間、たとえば６時間とを比較する（ステップＳ４４）。この結果、録画開始時点の番組が終了した時点から操作制御部１２１に対して何らの操作も行なわれないままに所定時間が経過していれば（ステップＳ４４でＹＥＳ）、録画時間処理部１１はまず「自動録画停止機能」が有効であるか否かを判断する（ステップＳ２４）。この「自動録画停止機能」が有効であることが判明した場合は（ステップＳ２４でＹＥＳ）、録画時間処理部１１は録画・ 再生制御部１６へ所定の信号を与えて録画動作の停止を指示する（ステップＳ２５）。これに応じて録画・ 再生制御部１６が録画・再生ユニット２１を制御することにより録画動作を停止させる。
【００９８】
以上の処理により、「自動録画停止機能」が設定されている状態において、手動録画が開始された時点の番組が終了した後に操作制御部１２１に対して何らの操作も行なわれないままに所定時間が経過した場合には、本発明の録画装置１０は自動的に録画動作を停止する。
【００９９】
一方、ステップＳ２４において「自動録画停止機能」が有効ではないと判断された場合には（ステップＳ２４でＮＯ）、「自動電源停止機能」が有効であることを意味しているので、録画時間処理部１１は電源制御部１７へ所定の信号を与えて電源の停止を指示する（ステップＳ２６）。これに応じて電源制御部１７が電源ユニット２３を制御することにより給電を停止させる。
【０１００】
以上の処理により、「自動電源停止機能」が設定されている状態において、手動録画が開始された時点の番組が終了した後に操作制御部１２１に対して何らの操作も行なわれないままに所定時間が経過した場合には、本発の録画明装置１０は自動的に電源を停止する。
【０１０１】
なお、この第３の実施の形態におけるステップＳ１３での「自動停止機能設定処理」は、図３に示した第１の実施の形態におけるフローチャートの内のステップＳ１３６の「自動停止時間設定処理」（図４に詳細なサブルーチンのフローチャートを示してある）を行なわない以外は同様の処理手順でよいので、説明を省略する。
【０１０２】
以上の各実施の形態では、本発明に係る情報記録装置をハードディスク装置を記録媒体としてテレビジョン信号を記録するビデオデッキに適用した場合について説明した。しかし、他にたとえばいわゆるビデオキャプチャを接続又は内蔵したパーソナルコンピュータに適用することも勿論可能であるし、テレビジョン信号ではなく監視対象からセンサにより得られる情報を記録するような装置にも本発明に係る情報記録装置を適用することは勿論可能である。
【０１０３】
以上に詳述したように本発明の情報記録装置によれば、記録媒体への情報記録手段による情報の記録動作を開始させる操作が受け付けられて記録動作が開始された場合にも、操作受付部が何らかの操作を受け付けたことが検出されない状態が計時手段が計時を開始した時点から予め設定された所定時間にわたって継続すれば、記録媒体への記録動作が自動的に停止する。従って、記録媒体への無用な長時間の記録動作がいたずらに継続されることがなくなるので、省エネルギーが図られると共に、記録媒体を含む装置の寿命を伸ばすことが可能になる。
【０１０４】
また本発明の情報記録装置によれば、記録媒体への情報記録手段によるテレビジョン信号の記録動作を開始させる操作が受け付けられて記録動作が開始された時点で番組情報特定手段が特定している情報とは異なる情報を番組情報特定手段が特定した場合に、操作受付部が何らかの操作を受け付けたことが検出されない状態が計時手段が計時を開始した時点から予め設定された所定時間にわたって継続すれば、記録媒体への記録動作が自動的に停止する。従って、記録媒体への無用な長時間の記録動作がいたずらに継続されることがなくなるので、省エネルギーが図られると共に、記録媒体を含む装置の寿命を伸ばすことが可能になると共に、たとえば急用で外出するような場合、深夜番組を録画しておいて就寝したいような場合にも、希望する番組を確実に録画することが可能になる。
【０１０５】
また本発明の情報記録装置によれば、上述の各発明において、情報記録手段による記録媒体への記録動作を停止させるか、又は給電手段から情報記録手段への給電を停止させるかのいずれかにより、記録媒体への記録動作を自動的に停止させることが可能になるので、装置の使用状況等に応じていずれかの設定にすることが可能になる。
【０１０６】
また本発明の情報記録装置によれば、上述の各発明において、情報記録手段による記録媒体への記録動作を停止させるか、又は給電手段から情報記録手段への給電を停止させるかをユーザが選択することが可能になるので、ユーザは自身の都合にあわせていずれかを選択することが可能になる。
【０１０７】
また本発明の情報記録装置によれば、上述の各発明において、ユーザが記録停止手段を無効に設定することにより、ユーザが希望する場合にはより長時間にわたる記録を行なうことが可能になる。
【０１０８】
更に本発明の情報記録装置によれば、上述の各発明において、ユーザが自身で操作部を操作して所定時間を設定できるので、ユーザのライフスタイルに合わせた、たとえば深夜番組を頻繁に録画する場合には所定時間を長い目に設定する等のように、設定をすることが可能になる。
【０１０９】
また更に本発明の情報記録装置によれば、前述の両発明において、記録媒体に関連する温度に基づいて所定時間が設定されるので、記録媒体の発熱による種々のトラブルを未然に防止することが可能になる。
【図面の簡単な説明】
【０１１０】
【図１】本発明に係る情報記録装置である録画装置を記録媒体としてハードディスク装置を使用したビデオデッキに適用した場合の回路構成例を示す機能ブロック図である。
【図２】ユーザが設定した自動停止時間に従って本発明に係る録画装置が自動停止処理を行なう場合の第１の実施の形態の処理手順を示すフローチャートである。
【図３】ユーザが設定した自動停止時間に従って本発明に係る録画装置が自動停止処理を行なう場合の第１の実施の形態の処理手順を示すフローチャートである。
【図４】ユーザが設定した自動停止時間に従って本発明に係る録画装置が自動停止処理を行なう場合の第１の実施の形態の処理手順を示すフローチャートである。
【図５】ユーザが設定した自動停止時間に従って本発明に係る録画装置が自動停止処理を行なう場合の第２の実施の形態の処理手順を示すフローチャートである。
【図６】ユーザが設定した自動停止時間に従って本発明に係る録画装置が自動停止処理を行なう場合の第３の実施の形態の処理手順を示すフローチャートである。
【符号の説明】
【０１１１】
１０  録画装置
１１  録画時間処理部
１３  タイマ制御部
１４  温度情報解析部
１５  番組情報解析部
１６  録画・ 再生制御部
１７  電源制御部
２１  録画・再生ユニット
２２  ハードディスク装置（ＨＤ）
２３  電源ユニット
１２０  リモートコントロール部
１２１  操作制御部
１２２  操作部
１２６  遠隔操作部
１２５  送信部
１５１  映像信号処理部
【図１】
2005209285.tif 000003
【図２】
2005209285.tif 000004
【図３】
2005209285.tif 000005
【図４】
2005209285.tif 000006
【図５】
2005209285.tif 000007
【図６】
2005209285.tif 000008